(57)【要約】【課題】ディスプレイによる表示を多様化させる技術を改善すること。【解決手段】携帯電子機器（例えば、スマートフォン）１は、第１ディスプレイ２Ａと、第１ディスプレイ２Ａに重畳され、入射される光を透過する透過状態と入射される光を反射する反射状態とが切り替えられる第２ディスプレイ２Ｂと、コントローラ１０と、を備える。コントローラ１０は、第１ディスプレイ２Ａ用の第１画面と第２ディスプレイ２Ｂ用の第２画面との表示を制御する。コントローラ１０は、第２ディスプレイ２Ｂの少なくとも一部を透過状態に切り替え、第１画面を第１ディスプレイ２Ａに表示させ、条件に応じて第２画面を第２ディスプレイ２Ｂに表示させる。【選択図】図５
2018170605.tif 000002
【特許請求の範囲】
【請求項１】
第１ディスプレイと、
前記第１ディスプレイに重畳され、入射される光を透過する透過状態と入射される光を反射する反射状態とが切り替えられる第２ディスプレイと、
前記第１ディスプレイ用の第１画面と前記第２ディスプレイ用の第２画面との表示を制御するコントローラと、
を備え、
前記コントローラは、
前記第２ディスプレイの少なくとも一部を前記透過状態に切り替え、前記第１画面を前記第１ディスプレイに表示させ、
条件に応じて前記第２画面を前記第２ディスプレイに表示させる
携帯電子機器。
【請求項２】
前記条件は、周辺照度に関する条件、自機の位置に関する条件、電池残量に関する条件、及び自機の画面の明るさと自機の外部の明るさとに関する条件の少なくとも１つである
請求項１に記載の携帯電子機器。
【請求項３】
前記コントローラは、前記第１画面と前記第２画面とを含む第３画面を、前記第１ディスプレイまたは前記第２ディスプレイに表示させる
請求項１または２に記載の携帯電子機器。
【請求項４】
前記第３画面は、前記第１画面と前記第２画面との一方から他方へアイコンを移動可能な画面であり、
前記コントローラは、前記第３画面において、前記第１画面と前記第２画面の一方から他方へ前記アイコンが移動されると、当該アイコンの態様を変更する
請求項３に記載の携帯電子機器。
【請求項５】
前記第３画面は、前記第１画面と前記第２画面との一方から他方へアイコンをドラッグ可能な画面であり、
前記コントローラは、前記第３画面において、前記第１画面と前記第２画面との一方から他方へ前記アイコンがドラッグされ、当該他方で当該アイコンがドロップされると、当該アイコンの態様を変更する
請求項３に記載の携帯電子機器。
【請求項６】
前記第３画面は、前記第１画面と前記第２画面の一方から他方へアイコンをドラッグ可能な画面であり、
前記コントローラは、前記第３画面において、前記第１画面と前記第２画面との一方から他方へ前記アイコンがドラッグされ、当該他方で当該アイコンがドロップされると、当該アイコンを移動させるか複製するかの選択を受け付ける
請求項３に記載の携帯電子機器。
【請求項７】
前記コントローラは、
前記第１画面と前記第２画面とを含む第３画面を前記第１ディスプレイに表示させ、
前記第２画面を含みかつ前記第１画面を含まない第４画面を前記第２ディスプレイに表示させる
請求項１または２に記載の携帯電子機器。
【請求項８】
自機の周囲の明るさを検出するセンサを備え、
前記コントローラは、
検出された前記周囲の明るさが所定値未満の場合に、前記第１ディスプレイに前記第１画面を表示させ、
検出された前記周囲の明るさが所定値以上の場合に、前記第２ディスプレイに前記第２画面を表示させる
請求項１に記載の携帯電子機器。
【請求項９】
前記コントローラは、
前記第１ディスプレイに前記第１画面を表示させている場合に、所定の条件を満たすと、前記周囲の明るさが所定値以上になっても、前記第２ディスプレイに前記第２画面を表示させず、
前記第２ディスプレイに前記第２画面を表示させている場合に、前記所定の条件を満たすと、前記周囲の明るさが所定値未満になっても、前記第１ディスプレイに前記第１画面を表示させない
請求項８に記載の携帯電子機器。
【請求項１０】
第１ディスプレイと、前記第１ディスプレイに重畳され、入射される光を透過する透過状態と入射される光を反射する反射状態とが切り替えられる第２ディスプレイと、を備える携帯電子機器によって実行される制御方法であって、
前記第２ディスプレイの少なくとも一部を前記透過状態に切り替え、前記第１ディスプレイ用の第１画面を前記第１ディスプレイに表示させるステップと、
条件に応じて前記第２ディスプレイ用の第２画面を前記第２ディスプレイに表示させるステップと、
を含む制御方法。
【請求項１１】
第１ディスプレイと、前記第１ディスプレイに重畳され、入射される光を透過する透過状態と入射される光を反射する反射状態とが切り替えられる第２ディスプレイと、を備える携帯電子機器に、
前記第２ディスプレイの少なくとも一部を前記透過状態に切り替え、前記第１ディスプレイ用の第１画面を前記第１ディスプレイに表示させるステップと、
条件に応じて前記第２ディスプレイ用の第２画面を前記第２ディスプレイに表示させるステップと、
を実行させる制御プログラム。
【発明の詳細な説明】
【技術分野】
【０００１】
本出願は、携帯電子機器、制御方法、及び制御プログラムに関する。
【背景技術】
【０００２】
携帯電子機器には、透過型のディスプレイを有するものが知られている。特許文献１の携帯電子機器は、バックライト等の光源を使用することで透過型のディスプレイを視認可能としている。
【先行技術文献】
【特許文献】
【０００３】
【特許文献１】国際公開第２０１４／１７５４５５号
【発明の概要】
【発明が解決しようとする課題】
【０００４】
従来の携帯電子機器は、ディスプレイによる表示を多様化させる技術に改善の余地がある。
【課題を解決するための手段】
【０００５】
態様の１つに係る携帯電子機器は、第１ディスプレイと、前記第１ディスプレイに重畳され、入射される光を透過する透過状態と入射される光を反射する反射状態とが切り替えられる第２ディスプレイと、前記第１ディスプレイ用の第１画面と前記第２ディスプレイ用の第２画面との表示を制御するコントローラと、を備える。前記コントローラは、前記第２ディスプレイの少なくとも一部を前記透過状態に切り替え、前記第１画面を前記第１ディスプレイに表示させ、条件に応じて前記第２画面を前記第２ディスプレイに表示させる。
【０００６】
態様の１つに係る制御方法は、第１ディスプレイと、前記第１ディスプレイに重畳され、入射される光を透過する透過状態と入射される光を反射する反射状態とが切り替えられる第２ディスプレイと、を備える携帯電子機器によって実行される制御方法であって、前記第２ディスプレイの少なくとも一部を前記透過状態に切り替え、前記第１ディスプレイ用の第１画面を前記第１ディスプレイに表示させるステップと、条件に応じて前記第２ディスプレイ用の第２画面を前記第２ディスプレイに表示させるステップと、を含む。
【０００７】
態様の１つに係る制御プログラムは、第１ディスプレイと、前記第１ディスプレイに重畳され、入射される光を透過する透過状態と入射される光を反射する反射状態とが切り替えられる第２ディスプレイと、を備える携帯電子機器に、前記第２ディスプレイの少なくとも一部を前記透過状態に切り替え、前記第１ディスプレイ用の第１画面を前記第１ディスプレイに表示させるステップと、条件に応じて前記第２ディスプレイ用の第２画面を前記第２ディスプレイに表示させるステップと、を実行させる。
【図面の簡単な説明】
【０００８】
【図１】図１は、実施形態に係るスマートフォンの一例を示す正面図である。
【図２】図２は、実施形態に係るスマートフォンのディスプレイの配置の一例を示す図である。
【図３】図３は、実施形態に係る第２ディスプレイの状態の一例を示す図である。
【図４】図４は、実施形態に係る第１ディスプレイ及び第２ディスプレイの表示領域の一例を示す図である。
【図５】図５は、実施形態に係るスマートフォンのブロック図である。
【図６】図６は、本実施形態に係る第１画面及び第２画面の一例を示す図である。
【図７】図７は、実施形態に係るスマートフォンによる表示制御の一例の処理手順を示すフローチャートである。
【図８】図８は、実施形態に係るスマートフォンによる表示制御の他の一例の処理手順を示すフローチャートである。
【図９】図９は、実施形態に係るスマートフォンによる第１画面及び第２画面の編集制御の一例を示す図である。
【図１０】図１０は、実施形態に係るスマートフォンによる表示制御の一例の処理手順を示すフローチャートである。
【図１１】図１１は、実施形態に係るスマートフォンによる第１画面及び第２画面の編集制御の他の一例を示す図である。
【図１２】図１２は、実施形態に係るスマートフォンによる表示制御の他の一例の処理手順を示すフローチャートである。
【図１３】図１３は、実施形態に係るスマートフォンによる第３画面及び第４画面の表示制御の一例を示す図である。
【図１４】図１４は、実施形態に係るスマートフォンによる表示制御の他の一例の処理手順を示すフローチャートである。
【発明を実施するための形態】
【０００９】
本出願に係る携帯電子機器、制御方法、及び制御プログラムを実施するための複数の実施形態を、図面を参照しつつ詳細に説明する。以下では、携帯電子機器の例として、スマートフォンについて説明する。
【００１０】
（実施形態）
図１から図４を参照しながら、実施形態に係るスマートフォン１の全体的な構成について説明する。図１は、実施形態に係るスマートフォン１の一例を示す正面図である。図２は、実施形態に係るスマートフォン１のディスプレイの配置の一例を示す図である。図３は、実施形態に係る第２ディスプレイの状態の一例を示す図である。
【００１１】
図１に示すように、スマートフォン１は、ハウジング２０を有する。ハウジング２０は、主面２１を有する。主面２１は、スマートフォン１の正面（表示面）である。スマートフォン１は、第１ディスプレイ２Ａと、第２ディスプレイ２Ｂと、タッチスクリーン２Ｃと、照度センサ４と、近接センサ５と、カメラ１２とを、主面２１に有する。
【００１２】
第１ディスプレイ２Ａ及びタッチスクリーン２Ｃは、主面２１の周縁に沿った略長方形状を有する。第１ディスプレイ２Ａ及びタッチスクリーン２Ｃは、主面２１において、ハウジング２０のフロントパネル２２に囲まれている。第１ディスプレイ２Ａ及びタッチスクリーン２Ｃはそれぞれ略長方形状を有するが、第１ディスプレイ２Ａ及びタッチスクリーン２Ｃの形状はこれに限定されない。第１ディスプレイ２Ａ及びタッチスクリーン２Ｃは、それぞれが正方形又は円形等のどのような形状もとりうる。図１の例では、第１ディスプレイ２Ａ及びタッチスクリーン２Ｃは重なって位置しているが、第１ディスプレイ２Ａ及びタッチスクリーン２Ｃの位置はこれに限定されない。第１ディスプレイ２Ａ及びタッチスクリーン２Ｃは、例えば、並んで位置してもよいし、離れて位置してもよい。図１の例では、第１ディスプレイ２Ａの長辺はタッチスクリーン２Ｃの長辺に沿っており、第１ディスプレイ２Ａの短辺はタッチスクリーン２Ｃの短辺に沿っているが、第１ディスプレイ２Ａ及びタッチスクリーン２Ｃの重ね方はこれに限定されない。第１ディスプレイ２Ａとタッチスクリーン２Ｃとが重なって位置する場合、例えば、第１ディスプレイ２Ａの１ないし複数の辺は、タッチスクリーン２Ｃのいずれの辺とも沿っていなくてもよい。
【００１３】
第１ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。第１ディスプレイ２Ａは、透過型のディスプレイ、自発光型のディスプレイを含む。本実施形態では、第１ディスプレイ２Ａは、バックライトを有する液晶ディスプレイである場合について説明する。
【００１４】
第２ディスプレイ２Ｂは、ハウジング２０の主面２１と類似した形状を有する。第２ディスプレイ２Ｂは、第１ディスプレイ２Ａよりも大きな形状となっている。第２ディスプレイ２Ｂは、第１ディスプレイ２Ａ及びハウジング２０のフロントパネル２２の表面全体に重ねられている。第２ディスプレイ２Ｂは、表面全体が強化ガラス２５によって覆われている。第２ディスプレイ２Ｂは、第１ディスプレイ２Ａと強化ガラス２５との間に挟まれている。第２ディスプレイ２Ｂは、例えば、光硬化型樹脂、接着剤等によって第１ディスプレイ２Ａと強化ガラス２５との間に貼り合わせてもよい。
【００１５】
第２ディスプレイ２Ｂは、ポリマーネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）、電子ペーパー等を含む。本実施形態では、第２ディスプレイ２Ｂは、ポリマーネットワーク型液晶ディスプレイである場合について説明する。
【００１６】
図３に示すように、第２ディスプレイ２Ｂは、ガラスまたは透明フィルム（例えば有機素材からなる）の基板３１と、液晶層３２とを有する。第２ディスプレイ２Ｂは、入射される光を透過する透過状態ＳＴ１と、入射される光を反射する反射状態ＳＴ２とを有する。
【００１７】
透過状態ＳＴ１は、第２ディスプレイ２Ｂの基板３１に電圧が印加された状態である。第２ディスプレイ２Ｂは、透過状態ＳＴ１の場合、電圧の印加によって液晶分子３３が電界方向Ｅに整列し、透明な状態になる。第２ディスプレイ２Ｂは、透過状態ＳＴ１の場合、入射される光を透過する。第２ディスプレイ２Ｂは、透過状態ＳＴ１の場合、基板３１の外部から入射された入射光を反対側の基板３１から透過光として出射する。第２ディスプレイ２Ｂは、透過状態ＳＴ１の場合、入射光が散乱されず、透明を呈する。第２ディスプレイ２Ｂは、透過状態ＳＴ１の場合、背後の第１ディスプレイ２Ａ、フロントパネル２２等を利用者に視認させることができる。透過状態ＳＴ１は、第２ディスプレイ２Ｂを介して第２ディスプレイ２Ｂの背後を利用者が視認な状態を含む。透過状態ＳＴ１は、半透明な状態を含んでもよい。
【００１８】
反射状態ＳＴ２は、第２ディスプレイ２Ｂの基板３１に電圧が印加されていない状態である。第２ディスプレイ２Ｂは、反射状態ＳＴ２の場合、液晶層３２内部の網目状のポリマーネットワーク３４の作用により、液晶分子３３の配列が不規則な状態を誘起して光を反射、散乱させる。第２ディスプレイ２Ｂは、反射状態ＳＴ２の場合、液晶分子３３による光の反射、散乱で不透明な状態を発現できる。第２ディスプレイ２Ｂは、反射状態ＳＴ２の場合、第２ディスプレイ２Ｂの不透明な部分を、反射、散乱された光によって利用者に視認させることができる。第２ディスプレイ２Ｂは、反射状態ＳＴ２の不透明な部分によって背後の第１ディスプレイ２Ａ、フロントパネル２２等を隠すことができる。なお、上記では電圧の印加によって第２ディスプレイ２Ｂが透明な状態になる場合を例示したが、第２ディスプレイ２Ｂは、電圧が印加されていない状態で透明状態ＳＴ１となり、電圧が印加されている状態で反射状態ＳＴ２となる、逆の構成であってもよい。なお以下では、基板３１に電圧が印加された状態において第２ディスプレイ２Ｂが透過状態ＳＴ１となり、基板３１に電圧が印加されていない状態において第２ディスプレイ２Ｂが反射状態ＳＴ２となるものとして、説明する。
【００１９】
本実施形態では、第２ディスプレイ２Ｂは、液晶分子３３によってスマートフォン１の外部の光を反射、散乱させることにより、反射状態ＳＴ２の部分を白濁した状態で利用者に視認させる場合について説明するが、これに限定されない。例えば、第２ディスプレイ２Ｂは、白色とは異なる色を呈する材料を用いてもよい。
【００２０】
図４は、実施形態に係る第１ディスプレイ２Ａ及び第２ディスプレイ２Ｂの表示領域の一例を示す図である。図４に示すように、第１ディスプレイ２Ａは、第１表示領域２００を有する。第１表示領域２００は、第１ディスプレイ２Ａが各種情報を表示する表示面である。第２ディスプレイ２Ｂは、第２表示領域３００を有する。第２表示領域３００は、第１領域３０１と、第２領域３０２とを有する。例えば、第１領域３０１は、第１ディスプレイ２Ａの第１表示領域２００と重なる第２表示領域３００の領域を含む。第２領域３０２は、第１表示領域２００と重ならない第２表示領域３００の領域を含む。第２領域３０２は、図１に示すフロントパネル２２と重なる第２表示領域３００の領域を含む。
【００２１】
本実施形態では、第２ディスプレイ２Ｂは、ハウジング２０の主面２１の略全面を覆う場合について説明するが、これに限定されない。例えば、第２ディスプレイ２Ｂは、ハウジング２０の主面２１の所定の範囲のみを覆ってもよい。所定の範囲は、例えば、主面２１における第１ディスプレイ２Ａの上側及び下側の少なくとも一方の部分としてもよい。所定の範囲は、例えば、フロントパネル２２の一部としてもよい。例えば、スマートフォン１がハウジング２０のフロントパネル２２に操作ボタン等を有する場合、第２ディスプレイ２Ｂは、操作ボタン等に重ならないように、主面２１に設けてもよい。
【００２２】
タッチスクリーン２Ｃは、タッチスクリーン２Ｃに対する指、ペン、又はスタイラスペン等の接触を検出する。タッチスクリーン２Ｃは、複数の指、ペン、又はスタイラスペン等がタッチスクリーン２Ｃに接触した位置を検出することができる。以下の説明では、タッチスクリーン２Ｃに対して接触する指、ペン、又はスタイラスペン等を、「接触オブジェクト」又は「接触物」と呼ぶことがある。
【００２３】
タッチスクリーン２Ｃの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｃに接触するものと想定する。
【００２４】
スマートフォン１は、タッチスクリーン２Ｃにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｃに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２５】
スマートフォン１は、タッチスクリーン２Ｃを介して判別するこれらのジェスチャに従って動作を行う。このため、利用者にとって直感的で使いやすい操作性が実現される。判別されるジェスチャに従ってスマートフォン１が行う動作は、第１ディスプレイ２Ａに表示されている画面に応じて異なることがある。以下の説明では、説明を簡単にするために、「タッチスクリーン２Ｃが接触を検出し、検出された接触に基づいてジェスチャの種別をスマートフォン１がＸと判別すること」を、「スマートフォンがＸを検出する」、又は「コントローラがＸを検出する」と記載することがある。
【００２６】
図５は、実施形態に係るスマートフォン１のブロック図である。スマートフォン１は、第１ディスプレイ２Ａと、第２ディスプレイ２Ｂと、タッチスクリーン２Ｃと、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、モーションセンサ１５とを有する。
【００２７】
第１ディスプレイ２Ａは、文字、画像、記号、及び図形等を表示する。第２ディスプレイ２Ｂは、文字、画像、記号、及び図形等を表示する。タッチスクリーン２Ｃは、接触を検出する。コントローラ１０は、スマートフォン１に対するジェスチャを検出する。具体的には、コントローラ１０は、タッチスクリーン２Ｃと協働することによって、タッチスクリーン２Ｃに対する操作（ジェスチャ）を検出する。
【００２８】
ボタン３は、利用者によって操作される。ボタン３は、例えば、スマートフォン１のパワーオン／オフボタンを含む。ボタン３は、スリープ／スリープ解除ボタンを兼ねてもよい。ボタン３は、例えば、音量ボタンを含んでもよい。コントローラ１０は、ボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２９】
照度センサ４は、スマートフォン１の周囲光の照度を検出する。照度は、照度センサ４の測定面の単位面積に入射する光束の値である。照度センサ４は、例えば、第１ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、第１ディスプレイ２Ａ及び第２ディスプレイ２Ｂが顔に近付けられたことを検出する。照度センサ４及び近接センサ５は、一つのセンサとして構成されていてもよい。照度センサ４は、近接センサとして用いられてもよい。
【００３０】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｗｉｄｅｂａｎｄ  Ｃｏｄｅ  Ｄｉｖｉｓｉｏｎ  Ｍｕｌｔｉｐｌｅ  Ａｃｃｅｓｓ  ２０００）、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等を含む。通信ユニット６は、上述した通信規格の１つ又は複数をサポートしていてもよい。
【００３１】
レシーバ７及びスピーカ１１は、音を出力する出力部の１つの例である。レシーバ７及びスピーカ１１は、コントローラ１０から送信される音信号を音として出力できる。レシーバ７は、例えば、通話時に相手の声を出力するために用いてもよい。スピーカ１１は、例えば、着信音及び音楽を出力するために用いてもよい。レシーバ７及びスピーカ１１の一方が、他方の機能を兼ねてもよい。マイク８は、音を入力する入力部の１つの例である。マイク８は、利用者の音声等を音信号へ変換してコントローラ１０へ送信できる。
【００３２】
ストレージ９は、プログラム及びデータを記憶できる。ストレージ９は、コントローラ１０の処理結果を一時的に記憶する作業領域としても利用してもよい。ストレージ９は、記録媒体を含む。記録媒体は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３３】
ストレージ９に記憶されるプログラムには、フォアグランド又はバックグランドで実行されるアプリケーションと、アプリケーションの動作を支援する制御プログラムとが含まれる。アプリケーションは、例えば、第１ディスプレイ２Ａに画面を表示させ、タッチスクリーン２Ｃを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００３４】
ストレージ９は、例えば、制御プログラム９Ａ及び設定データ９Ｚを記憶する。設定データ９Ｚは、スマートフォン１の動作に関する各種の設定に関する情報を含む。
【００３５】
制御プログラム９Ａは、スマートフォン１を稼働させるための各種制御に関する機能を提供できる。制御プログラム９Ａは、例えば、通信ユニット６、レシーバ７、及びマイク８等を制御することによって、通話を実現させる。制御プログラム９Ａが提供する機能には、タッチスクリーン２Ｃを介して検出されたジェスチャに応じて、第１ディスプレイ２Ａに表示されている情報を変更する等の各種制御を行う機能が含まれる。制御プログラム９Ａが提供する機能には、第１ディスプレイ２Ａ及び第２ディスプレイ２Ｂの表示を制御する機能が含まれる。制御プログラム９Ａは、タッチスクリーン２Ｃ、ボタン３等に対する操作の受け付けを制限する機能を提供する。制御プログラム９Ａが提供する機能には、モーションセンサ１５の検出結果に基づいて、スマートフォン１を携帯する利用者の移動、停止等を検出する機能が含まれる。制御プログラム９Ａが提供する機能は、他のプログラムが提供する機能と組み合わせて利用されることがある。
【００３６】
設定データ９Ｚは、第１ディスプレイ２Ａの表示状態と非表示状態とを切り替える条件を判定するための条件データを含む。表示状態は、第１ディスプレイ２Ａの表示が可能な状態を含む。非表示状態は、第１ディスプレイ２Ａの表示が不能な状態、第１ディスプレイ２Ａの電源がオフの状態等を含む。切り替える条件は、第１ディスプレイ２Ａを表示状態から非表示状態へ遷移させる条件を含む。例えば、切り替える条件は、利用者の操作終了時から所定時間が経過したか否かを判定するための条件を含む。例えば、切り替える条件は、スマートフォン１が静置されてから所定時間が経過したか否かを判定するための条件を含む。条件データは、第１ディスプレイ２Ａの表示状態から非表示状態へ遷移させる条件を含む。条件データは、第１ディスプレイ２Ａの非表示状態から表示状態へ遷移させる条件を含む。
【００３７】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、スマートフォン１の動作を統括的に制御できる。コントローラ１０の各種機能は、コントローラ１０の制御に基づいて実現される。
【００３８】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御する。コントローラ１０は、機能部を制御することによって、各種機能を実現する。機能部は、例えば、第１ディスプレイ２Ａ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｃ、ボタン３、照度センサ４、近接センサ５、マイク８、カメラ１２、カメラ１３及びモーションセンサ１５を含むが、これらに限定されない。
【００３９】
コントローラ１０は、例えば、制御プログラム９Ａを実行することにより、タッチスクリーン２Ｃを介して検出されたジェスチャに応じて、第１ディスプレイ２Ａに表示されている情報を変更する等の各種制御を実行できる。
【００４０】
カメラ１２及びカメラ１３は、撮影した画像を電気信号へ変換できる。カメラ１２は、フロントパネル２２に面している物体を撮影するインカメラである。カメラ１３は、バックフェイスに面している物体を撮影するアウトカメラである。
【００４１】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４２】
モーションセンサ１５は、スマートフォン１を携帯する利用者の動作を判定するための各種情報を検出できる。モーションセンサ１５は、例えば、加速度センサ、方位センサ、ジャイロスコープ、磁気センサ及び気圧センサなどを備えるセンサユニットとして構成されてよい。
【００４３】
図５においてストレージ９が記憶するプログラム及びデータの一部又は全部は、通信ユニット６による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４４】
図５に示したスマートフォン１の構成は一例であり、本発明の要旨を損なわない範囲において適宜変更してよい。図５に示した例では、スマートフォン１がボタン３を備えるが、スマートフォン１は、ボタン３を備えなくてもよい。図５に示した例では、スマートフォン１が２つのカメラを備えるが、スマートフォン１は、１つのカメラのみを備えてもよいし、カメラを備えなくてもよい。
【００４５】
スマートフォン１は、上記の各機能部の他、ＧＰＳ受信機を備えてもよい。ＧＰＳ受信機は、ＧＰＳ衛星からの所定の周波数帯の電波信号を受信する。ＧＰＳ受信機は、受信した電波信号の復調処理を行って、処理後の信号をコントローラ１０に送出する。ＧＰＳ受信機は、スマートフォン１の現在位置の演算処理をサポートする。スマートフォン１は、ＧＰＳ衛星以外の測位用人工衛星の信号を受信可能な受信機を備え、現在位置の演算処理を実行してもよい。スマートフォン１は、バッテリなど、スマートフォン１の機能を維持するために当然に用いられる機能部、及びスマートフォン１の制御を実現するために当然に用いられる制御部を実装する。
【００４６】
図６は、本実施形態に係る第１画面４１及び第２画面４２の一例を示す図である。図６に示すように、スマートフォン１は、第１画面４１と第２画面４２とのいずれか一方の画面を視認可能に表示できる。第１画面４１は、第１ディスプレイ２Ａ用のホーム画面である。第１画面４１は、例えば、屋内、屋外等の明るくない場所で用いる画面を含む。第２画面４２は、第２ディスプレイ２Ｂ用のホーム画面である。第２画面４２は、例えば、屋外等の明るい場所で用いる画面を含む。ホーム画面は、デスクトップ、待受画面、アイドル画面又は標準画面と呼ばれることもある。ホーム画面は、スマートフォン１にインストールされているアプリケーションのうち、どのアプリケーションを実行するかを利用者に選択させる画面を含む。
【００４７】
スマートフォン１は、第２ディスプレイ２Ｂの全面を透過状態ＳＴ１に遷移させた状態で、第１画面４１を第１ディスプレイ２Ａに表示する。スマートフォン１は、第１画面４１のデータを第１ディスプレイ２Ａに表示する。その結果、スマートフォン１は、透明な第２ディスプレイ２Ｂを介して、第１ディスプレイ２Ａに表示されている第１画面４１を利用者に視認させる。
【００４８】
スマートフォン１は、第２ディスプレイ２Ｂの第２表示領域３００の第２領域３０２において、透過状態ＳＴ１の領域と反射状態ＳＴ２の領域とを組み合わせることにより、第２画面４２を第２ディスプレイ２Ｂに表示する。例えば、スマートフォン１は、利用者に第２ディスプレイ２Ｂの背後の色で視認させる第２領域３０２の部分を、透過状態ＳＴ１に遷移させる。例えば、スマートフォン１は、利用者に白色等で第２ディスプレイ２Ｂの色で視認させる第２領域３０２の部分を、反射状態ＳＴ２に遷移させる。スマートフォン１は、第２画面４２を第２ディスプレイ２Ｂに表示することにより、当該第２画面４２によって第１ディスプレイ２Ａを隠す。その結果、スマートフォン１は、第２ディスプレイ２Ｂの透明な透過状態ＳＴ１の部分をその背後の色で利用者に視認させる。スマートフォン１は、不透明な反射状態ＳＴ２の部位を第２ディスプレイ２Ｂの色で利用者に視認させる。スマートフォン１は、第２画面４２を表示させる場合、第１ディスプレイ２Ａを非表示状態にする又は黒色の画面を表示することにより、その部分を第２領域３０２の透過状態ＳＴ１を介して、黒色等で利用者に視認させることができる。
【００４９】
本実施形態では、スマートフォン１は、第２画面４２を第２ディスプレイ２Ｂの第２表示領域３００における第２領域３０２に表示することで、第１画面４１と第２画面４２とを同一サイズとする場合について説明するが、これに限定されない。例えば、スマートフォン１は、第２表示領域３００の全体に第２画面４２を表示させ、第１画面４１よりも大きなサイズで第２画面４２を第２ディスプレイ２Ｂに表示してもよい。例えば、スマートフォン１は、第１画面４１よりも小さなサイズで、第２画面４２を第２ディスプレイ２Ｂに表示してもよい。
【００５０】
スマートフォン１は、第１画面４１にアイコン、ウィジェット等を配置することができる。図６に示す例では、第１画面４１は、複数のアイコン７０とウィジェット７１とを配置している。それぞれのアイコン７０は、スマートフォン１にインストールされているアプリケーションと予め対応付けられている。スマートフォン１は、アイコン５０に対するジェスチャを検出すると、ジェスチャが検出されたアイコン５０に対応付けられているアプリケーションを実行する。例えば、スマートフォン１は、メールアプリケーションに対応付けられたアイコン５０に対するタップが検出されると、メールアプリケーションを実行する。スマートフォン１は、ウィジェット７１によって情報を表示する。
【００５１】
スマートフォン１は、第２画面４２にアイコン、ウィジェット等を配置することができる。図６に示す例では、第２画面４２は、複数のアイコン７０と複数のウィジェット７１とを配置している。第２画面４２は、例えば、屋外で利用者に用いられるアプリケーションのアイコン７０、ウィジェット７１等を含む。第１画面４１及び第２画面４２は、アイコン７０及びウィジェット７１の背後に壁紙７２を表示している。壁紙は、フォトスクリーン、バックスクリーン、アイドル画像又は背景画像と呼ばれることもある。スマートフォン１は、任意の画像を壁紙７２として用いることができる。スマートフォン１は、壁紙７２として表示する画像を利用者が選択できるように構成されてもよい。
【００５２】
図６に示す例では、スマートフォン１は、第１画面４１をカラーで表示し、第２画面４２をモノクロームで表示している。スマートフォン１は、例えば、天気、方位、トレーニング等に関するウィジェットアプリケーションを、屋外で用いられるアプリケーションとしている。スマートフォン１は、第２画面４２に表示するアイコン、ウィジェット等を利用者に設定させることができる。第２画面４２は、屋内で用いられるアプリケーションのアイコン７０、ウィジェット７１を含んでもよい。
【００５３】
スマートフォン１は、制御プログラム９Ａを実行することにより、第１画面４１と第２画面４２との表示の切り替えを制御できる。スマートフォン１は、第２ディスプレイ２Ｂの第２表示領域３００の全てを透過状態にさせ、第１画面４１を第１ディスプレイ２Ａに表示させる。スマートフォン１は、第１ディスプレイ２Ａからの光を、透明な第２ディスプレイ２Ｂに透過させ、スマートフォン１の外部に出射させることができる。その結果、利用者は、出射された光を視認することで、透明な第２ディスプレイ２Ｂを介して、第１ディスプレイ２Ａに表示されたホーム画面４０を視認できる。
【００５４】
本実施形態では、スマートフォン１は、第１画面４１及び第２画面４２がアイコン７０及びウィジェット７１を含む場合について説明するが、これに限定されない。例えば、第１画面４１及び第２画面４２は、アイコン７０及びウィジェット７１の少なくとも一方を含む構成としてもよい。
【００５５】
スマートフォン１は、所定の条件を満たす場合、第１画面４１から第２画面４２へ表示を切り替えることができる。所定の条件は、第１画面４１と第２画面４２とのいずれを表示させるかを判定するための条件を含む。例えば、所定の条件は、自機の周辺照度に関する条件、自機の位置に関する条件、電池残量に関する条件、及び自機の明るさの設定と自機の外部の明るさとに関する条件等を含む。
【００５６】
自機の周辺照度に関する条件は、例えば、自機の周囲の明るさの閾値を含む。この場合、スマートフォン１は、照度センサ４の検出結果に基づいて、明るさが閾値よりも明るいか否かを判定する。自機の位置に関する条件は、例えば、屋外であるか否かを判別するための位置、領域等を含む。この場合、スマートフォン１は、ＧＰＳ受信機、通信ユニット６等で取得した自機の位置に基づいて、屋外であるか否かを判定する。電池残量に関する条件は、例えば、第１ディスプレイ２Ａよりも省電力の第２ディスプレイ２Ｂに切り替える電池残量の閾値を含む。この場合、スマートフォン１は、自機の電池の残量が閾値よりも少ないか否かを判定する。自機の画面の明るさの設定と自機の外部の明るさとに関する条件は、例えば、第１ディスプレイ２Ａの設定の明るさと自機の外部の明るさとの差の閾値を含む。例えば、第１ディスプレイ２Ａの設定が暗く設定されている場合、スマートフォン１が屋外で利用されると、外光、周囲の光等によって第１ディスプレイ２Ａを見にくい可能性がある。この場合、スマートフォン１は、照度センサ４の検出結果に基づいて、第１ディスプレイ２Ａの設定の明るさと自機の外部の明るさとの差が閾値よりも大きいか否かを判定する。
【００５７】
スマートフォン１は、所定の条件を満たす場合、第２画面４２を第２ディスプレイ２Ｂに表示させる。例えば、スマートフォン１は、第２画面４２における透明な部分が透過状態ＳＴ１、反射させる部分が反射状態ＳＴ２となるように、第２ディスプレイ２Ｂを制御する。スマートフォン１は、第２画面４２の透明な部分を、その背後の第１ディスプレイ２Ａの色によって利用者に視認させる。スマートフォン１は、第２画面４２の反射させる部分を、不透明な第２ディスプレイ２Ｂの色によって利用者に視認させる。その結果、スマートフォン１は、第２ディスプレイ２Ｂの反射状態ＳＴ２の部分における外光等の反射、錯乱により、第２画面４２を利用者に視認させることができる。
【００５８】
スマートフォン１は、第１ディスプレイ２Ａと第２ディスプレイ２Ｂとを有する場合に、第２画面４２を明るい外光の下で見やすい第２ディスプレイ２Ｂに表示することで、視認性を向上させることができる。スマートフォン１は、第２ディスプレイ２Ｂとしてポリマーネットワーク型液晶ディスプレイを用いることにより、外光視認性を向上し、かつ第２ディスプレイ２Ｂによる消費電力を抑制することができる。スマートフォン１は、第２画面４２において、電圧を印加していない反射状態ＳＴ２の割合が、透過状態ＳＴ１の割合よりも多くすることで、第２ディスプレイ２Ｂの消費電力を抑制することができる。例えば、第２画面４２は、文字及びフレームを透明とし、他の部分を不透明とすることで、第２ディスプレイ２Ｂにおける反射状態ＳＴ２の割合を透過状態ＳＴ１の割合よりも多くすることができる。スマートフォン１は、第２ディスプレイ２Ｂに第２画面４２を表示する場合に、第１ディスプレイ２Ａを非表示状態とすることで、第１ディスプレイ２Ａによる消費電力を抑制することができる。その結果、スマートフォン１は、自機のバッテリを長持ちさせることができる。
【００５９】
本実施形態では、スマートフォン１は、第２画面４２の文字、フレーム等を透明にする場合について説明するが、これに限定されない。例えば、スマートフォン１は、第２画面４２の文字、フレーム等を反射させてもよい。
【００６０】
図７は、実施形態に係るスマートフォン１による表示制御の一例の処理手順を示すフローチャートである。図７に示す処理手順は、コントローラ１０が制御プログラム９Ａを実行することによって実現される。図７に示す処理手順は、コントローラ１０によって繰り返し実行される。
【００６１】
図７に示すように、スマートフォン１のコントローラ１０は、照度センサ４によって自機の周囲の明るさを検出する（ステップＳ１０１）。コントローラ１０は、周囲の明るさが所定値未満であるか否かを判定する（ステップＳ１０２）。コントローラ１０は、周囲の明るさが所定値未満であると判定した場合（ステップＳ１０２でＹｅｓ）、処理をステップＳ１０３に進める。
【００６２】
コントローラ１０は、第１画面４１を表示中であるか否かを判定する（ステップＳ１０３）。例えば、コントローラ１０は、第１画面４１を第１ディスプレイ２Ａに表示させている場合、第１画面４１を表示中であると判定する。コントローラ１０は、第１画面４１を表示中であると判定した場合（ステップＳ１０３でＹｅｓ）、図７に示す処理手順を終了させる。コントローラ１０は、第１画面４１を表示中ではないと判定した場合（ステップＳ１０３でＮｏ）、処理をステップＳ１０４に進める。
【００６３】
コントローラ１０は、第２ディスプレイ２Ｂの全面を透過状態ＳＴ１へ遷移させる（ステップＳ１０４）。コントローラ１０は、第１ディスプレイ２Ａ用の第１画面４１を第１ディスプレイ２Ａに表示させる（ステップＳ１０５）。コントローラ１０は、第１画面４１を第１ディスプレイ２Ａに表示させると、図７に示す処理手順を終了させる。
【００６４】
コントローラ１０は、周囲の明るさが所定値未満ではないと判定した場合（ステップＳ１０２でＮｏ）、周囲の明るさが所定値以上であるため、処理をステップＳ１０６に進める。コントローラ１０は、第２画面４２を表示中であるか否かを判定する（ステップＳ１０６）。例えば、コントローラ１０は、第２画面４２を第２ディスプレイ２Ｂに表示させている場合、第２画面４２を表示中であると判定する。コントローラ１０は、第２画面４２を表示中であると判定した場合（ステップＳ１０６でＹｅｓ）、図７に示す処理手順を終了させる。
【００６５】
コントローラ１０は、第２画面４２を表示中ではないと判定した場合（ステップ１０６でＮｏ）、処理をステップＳ１０７に進める。コントローラ１０は、第２ディスプレイ２Ｂ用の第２画面４２を第２ディスプレイ２Ｂに表示させる（ステップＳ１０７）。例えば、コントローラ１０は、第２画面４２の透明な部分が透過状態ＳＴ１、第２画面４２で反射させる部分が反射状態ＳＴ２となるように、第２画面４２を第２ディスプレイ２Ｂに表示させる。コントローラ１０は、第２画面４２を第２ディスプレイ２Ｂに表示させると、図７に示す処理手順を終了させる。
【００６６】
図８は、実施形態に係るスマートフォン１による表示制御の他の一例の処理手順を示すフローチャートである。図８に示す処理手順は、コントローラ１０が制御プログラム９Ａを実行することによって実現される。図８に示す処理手順は、コントローラ１０によって繰り返し実行される。
【００６７】
図８に示す例では、ステップＳ１０１からステップＳ１０７の処理は、図７に示すステップＳ１０１からステップＳ１０７の処理と同一であるため、異なる部分のみを説明し、同一部分の説明は省略する。
【００６８】
コントローラ１０は、ステップＳ１０５又はステップＳ１０７の処理が終了すると、処理をステップＳ１１０に進める。コントローラ１０は、所定の条件を満たすか否かを判定する（ステップＳ１１０）。所定の条件は、第１画面４１又は第２画面４２への切り替えを禁止する条件を含む。所定の条件は、例えば、第１画面４１又は第２画面４２に切り替えてから所定の時間が経過したか否かを判定するための条件、利用者の操作が継続中であるか否かを判定するための条件、アプリケーションが動作中であるか否かを判定するための条件等を含む。コントローラ１０は、所定の条件を満たすと判定した場合（ステップＳ１１０でＹｅｓ）、ステップＳ１１０の処理を繰り返すことで、第１画面４１又は第２画面４２に切り替えを禁止する。コントローラ１０は、所定の条件を満たしていないと判定した場合（ステップＳ１１０でＮｏ）、図８に示す処理手順を終了させる。
【００６９】
図８に示すように、スマートフォン１は、第１画面４１又は第２画面４２に表示を切り替えると、所定の条件を満たしている間、周囲の明るさの変化を判定しない。その結果、スマートフォン１は、周囲の明るさの変化に応じて、第１画面４１又は第２画面４２へ切り替えた後、所定の条件を満たしている間は、周囲の明るさが変化しても表示している画面の表示を維持することができる。スマートフォン１は、明るさの変化に応じて画面が頻繁に切り替わることを防止できるため、利便性を向上できる。
【００７０】
図９は、実施形態に係るスマートフォン１による第１画面４１及び第２画面４２の編集制御の一例を示す図である。図９に示すように、スマートフォン１は、所定の操作に応じて、第１画面４１と第２画面４２とを含む第３画面４３を、第１ディスプレイ２Ａに表示できる。第３画面４３は、複数の第１画面４１を含む。第３画面４３は、ランチャ画面を含む。ランチャ画面は、ホーム画面、アプリケーション画面等を含む。ランチャ画面は、アプリケーションの実行に特化した画面である。
【００７１】
第３画面４３は、第１画面４１と第２画面４２との一方から他方へアイコン、ウィジェット等の移動可能な画面を含む。スマートフォン１は、複数の第１画面４１のそれぞれと第２画面４２とを切り替え可能に、第３画面４３を第１ディスプレイ２Ａに表示できる。
【００７２】
スマートフォン１は、第３画面４３の第１画面４１及び第２画面４２上に、インジケータ（ロケータ）４５を表示できる。インジケータ４５は、１つ又は複数のシンボル４６を含む。インジケータ４５は、現在表示されている第１画面４１又は第２画面４２の位置を示す。現在表示されている画面に対応するシンボル４６は、他の画面に対応するシンボル４６と異なる態様で表示される。
【００７３】
図９に示す例では、スマートフォン１は、３つの第１画面４１ａ、４１ｂ及び４１ｃと、１つの第２画面４２とを有する第３画面４３を表示できる。この場合、スマートフォン１は、インジケータ４５のシンボル４６を４つ表示する。これは、第３画面４３は、４つの画面を有することを示す。４つのシンボル４６は、画面左側から右側に向けて列状に配置されている。以下では、第１画面４１ａ、４１ｂ及び４１ｃを、どの画面であるかを特定することなく、第１画面４１と総称することがある。
【００７４】
図９のステップＳ１１では、スマートフォン１は、所定の操作に応じて、第３画面４３の第１画面４１ｂを第１ディスプレイ２Ａに表示している。第１画面４１ｂは、左端から３番目のシンボル４６が他のシンボル４６と異なる態様で表示されている。この場合、スマートフォン１は、第３画面４３の左端から３番目の画面を第１ディスプレイ２Ａに表示していることを示している。
【００７５】
ステップＳ１１では、利用者は、他の画面へ移動させるアイコン７０を指Ｆでドラッグさせている。「ドラッグ」は、移動可能なオブジェクトが表示されている領域を始点としてスワイプをするジェスチャである。
【００７６】
スマートフォン１は、アイコン７０に対するドラッグのジェスチャを検出し、アイコン７０が第１ディスプレイ２Ａの左端又は右端に達すると、表示している画面をスクロールさせて隣の画面を第１ディスプレイ２Ａに表示する。ステップＳ１２では、利用者は、指Ｆでアイコン７０を第１画面４１ｂから２つ左隣の第２画面４２までドラッグさせている。ステップＳ１２に示す例では、スマートフォン１は、アイコン７０が第１画面４１ｂから２つ左隣の第２画面４２までドラッグされたことを検出する。スマートフォン１は、第１ディスプレイ２Ａに表示している第１画面４１ｂから、第１画面４１ａ、第２画面４２へ順次スクロール表示させている。
【００７７】
ステップＳ１３では、利用者は、指Ｆでドラッグしているアイコン７０を、スクロールされた第２画面４２でドロップしている。「ドロップ」は、目的とする位置でリリースするジェスチャである。スマートフォン１は、第２画面４２でアイコン７０をドロップするジェスチャを検出すると、当該アイコン７０の表示態様を変更し、アイコン７０を第２画面４２に追加する。例えば、スマートフォン１は、第１画面４１用の態様で示されたアイコン７０を、第２画面４２用の態様のアイコン７０へ変更する。例えば、第１画面４１のアイコン７０がカラーの態様で、第２画面４２のアイコン７０がモノクロームの態様であるとする。この場合、スマートフォン１は、ステップＳ１３では、アイコン７０をカラーの態様からモノクロームの態様に変更する。スマートフォン１は、当該アイコン７０を移動先の画面に追加すると、移動元の画面から削除する。ステップＳ１３に示す例では、スマートフォン１は、態様を変更したアイコン７０を第２画面４２に追加し、当該アイコン７０を移動元の第１画面４１ｂから削除する。
【００７８】
スマートフォン１は、第１ディスプレイ２Ａ用の第１画面４１のアイコン７０を、第３画面４３を用いて、第２ディスプレイ２Ｂ用の第２画面４２へ移動させることができる。その結果、スマートフォン１は、第１画面４１と第２画面４２との間でのアイコン７０の移動に関する操作性を向上できる。スマートフォン１は、第３画面４３によって第１画面４１のアイコン７０を第２画面４２へ移動させる場合、アイコン７０の態様を移動先の画面の態様へ変更して、移動先の画面へ追加することができる。その結果、スマートフォン１は、アイコン７０の態様が異なる画面間でアイコン７０を移動させることができるため、利便性を向上できる。
【００７９】
図９に示す例では、スマートフォン１は、第３画面４３を用いて、第１画面４１のアイコン７０を第２画面４２へ移動させる場合について説明したが、これに限定されない。例えば、スマートフォン１は、第３画面４３を用いて、第２画面４２のアイコン７０を第１画面４１へ移動させることができる。この場合、スマートフォン１は、アイコン７０の態様を第１画面４１のアイコン７０の態様に変更し、変更した態様のアイコン７０を第１画面４１へ追加できる。
【００８０】
図１０は、実施形態に係るスマートフォン１による表示制御の一例の処理手順を示すフローチャートである。図１０に示す処理手順は、コントローラ１０が制御プログラム９Ａを実行することによって実現される。図１０に示す処理手順は、第３画面４３を用いてアイコン７０を他の画面へ移動させる処理手順を含む。図１０に示す処理手順は、コントローラ１０によって繰り返し実行される。
【００８１】
図１０に示すように、スマートフォン１のコントローラ１０は、所定の操作に応じて、第３画面４３を第１ディスプレイ２Ａに表示させる（ステップＳ２０１）。例えば、スマートフォン１は、第３画面４３の１つの第１画面４１をインジケータ４５とともに第１ディスプレイ２Ａに表示させる。コントローラ１０は、第３画面４３を第１ディスプレイ２Ａに表示させると、処理をステップＳ２０２に進める。
【００８２】
コントローラ１０は、アイコン７０のドラッグ操作中であるか否かを判定する（ステップＳ２０２）。例えば、コントローラ１０は、タッチスクリーン２Ｃの検出結果に基づいて、第１ディスプレイ２Ａに表示しているアイコン７０に対するドラッグのジェスチャを検出している場合に、アイコン７０のドラッグ操作中であると判定する。コントローラ１０は、アイコン７０のドラッグ操作中ではないと判定した場合（ステップＳ２０２でＮｏ）、図１０に示す処理手順を終了させる。
【００８３】
コントローラ１０は、アイコン７０のドラッグ操作中であると判定した場合（ステップＳ２０２でＹｅｓ）、処理をステップＳ２０３に進める。コントローラ１０は、ドラッグの操作方向への第３画面４３のスクロール処理を実行する（ステップＳ２０３）。例えば、スクロール処理は、アイコン７０に対するドラッグのジェスチャが継続している場合に、第３画面４３に表示している画面から隣の画面へスクロールさせる表示制御の処理を含む。コントローラ１０は、スクロール処理を実行すると、処理をステップＳ２０４に進める。
【００８４】
コントローラ１０は、ドラッグ操作中のアイコン７０がドロップされたか否かを判定する（ステップＳ２０４）。例えば、コントローラ１０は、タッチスクリーン２Ｃの検出結果に基づいて、ドラッグ操作中のアイコン７０からリリースするジェスチャを検出した場合に、ドラッグ操作中のアイコン７０がドロップされたと判定する。コントローラ１０は、ドラッグ操作中のアイコン７０がドロップされていないと判定した場合（ステップＳ２０４でＮｏ）、処理を既に説明したステップＳ２０３に戻す。コントローラ１０は、ドラッグ操作中のアイコン７０がドロップされたと判定した場合（ステップＳ２０４でＹｅｓ）、処理をステップＳ２０５に進める。
【００８５】
コントローラ１０は、ドロップされたアイコン７０の移動先の画面の態様に基づいて、当該アイコン７０の態様を特定する（ステップＳ２０５）。例えば、移動元の画面と移動先の画面とで態様が異なる場合、コントローラ１０は、移動先の画面のアイコン７０の態様に、ドロップされたアイコン７０の態様を変更する。例えば、移動元の画面と移動先の画面とで態様が同じ場合、コントローラ１０は、ドロップされたアイコン７０の態様を変更しない。コントローラ１０は、アイコン７０の態様を特定すると、処理をステップＳ２０６に進める。
【００８６】
コントローラ１０は、ドロップされたアイコン７０を移動元の画面から削除し、特定した態様のアイコン７０として移動先の画面に追加する（ステップＳ２０６）。コントローラ１０は、ドロップされたアイコン７０を移動先の画面に追加すると、処理をステップＳ２０７に進める。
【００８７】
コントローラ１０は、第１ディスプレイ２Ａに表示している第３画面４３を更新する（ステップＳ２０７）。コントローラ１０は、移動させたアイコン７０を含む画面を第１ディスプレイ２Ａに表示させると、図１０に示す処理手順を終了させる。
【００８８】
図１１は、実施形態に係るスマートフォン１による第１画面及び第２画面の編集制御の他の一例を示す図である。図１１に示すように、スマートフォン１は、所定の操作に応じて、第１画面４１と第２画面４２とを含む第３画面４３を、第１ディスプレイ２Ａに表示できる。図１１に示す例では、ステップＳ１１からステップＳ１２の処理は、図９に示すステップＳ１１からステップＳ１２の処理と同一であるため、異なる部分のみを説明し、同一部分の説明は省略する。
【００８９】
ステップＳ１２では、スマートフォン１は、アイコン７０に対するドラッグのジェスチャを検出し、アイコン７０が第１ディスプレイ２Ａの左端又は右端に達すると、表示している画面をスクロールさせて隣の画面を第１ディスプレイ２Ａに表示する。ステップＳ１２では、利用者は、指Ｆでアイコン７０を第１画面４１ｂから２つ左隣の第２画面４２までドラッグさせている。ステップＳ１２に示す例では、スマートフォン１は、アイコン７０が第１画面４１ｂから２つ左隣の第２画面４２までドラッグされたことを検出し、第１ディスプレイ２Ａに表示している第１画面４１ａから第２画面４２へスクロール表示させている。
【００９０】
ステップＳ１４では、利用者は、指Ｆでドラッグしているアイコン７０を、スクロールされた第２画面４２でドロップしている。スマートフォン１は、第２画面４２でアイコン７０をドロップするジェスチャを検出すると、当該アイコン７０を複製する。スマートフォン１は、複製したアイコン７０の表示の態様を変更し、当該アイコン７０を第２画面４２に追加する。スマートフォン１は、第１画面４１用の態様で示されたアイコン７０を、第２画面４２用の態様のアイコン７０へ変更する。例えば、第１画面４１のアイコン７０がカラーの態様で、第２画面４２のアイコン７０がモノクロームの態様であるとする。この場合、スマートフォン１は、ステップＳ１４では、アイコン７０をカラーからモノクロームの態様に変更する。図１１に示す例では、スマートフォン１は、複製したアイコン７０を移動先の画面へ追加し、ドラッグされたアイコン７０を移動元の画面から削除しない。
【００９１】
スマートフォン１は、第１ディスプレイ２Ａ用の第１画面４１のアイコン７０を、第３画面４３を用いて、第２ディスプレイ２Ｂ用の第２画面４２へ複製させることができる。その結果、スマートフォン１は、第１画面４１と第２画面４２との間でのアイコン７０の複製の操作性を向上できる。スマートフォン１は、第３画面４３によって第１画面４１のアイコン７０を第２画面４２へ複製させる場合、アイコン７０の態様を移動先の画面の態様へ変更して、移動先の画面へ複製することができる。その結果、スマートフォン１は、アイコン７０の態様が異なる画面間でアイコン７０を複製させることができるため、利便性を向上できる。
【００９２】
図１２は、実施形態に係るスマートフォン１による表示制御の他の一例の処理手順を示すフローチャートである。図１２に示す処理手順は、コントローラ１０が制御プログラム９Ａを実行することによって実現される。図１２に示す処理手順は、第３画面４３を用いてアイコン７０を他の画面に複製する処理手順を含む。図１２に示す処理手順は、コントローラ１０によって繰り返し実行される。
【００９３】
図１２に示す例では、ステップＳ２０１からステップＳ２０４の処理は、図１０に示すステップＳ２０１からステップＳ２０４の処理と同一であるため、異なる部分のみを説明し、同一部分の説明は省略する。
【００９４】
コントローラ１０は、ステップＳ２０４でドラッグ操作中のアイコン７０がドロップされたと判定した場合（ステップＳ２０４でＹｅｓ）、処理をステップＳ２１０に進める。コントローラ１０は、第１画面４１と第２画面４２との間のアイコン７０の複製であるか否かを判定する（ステップＳ２１０）。例えば、コントローラ１０は、第３画面４３におけるドラッグの開始位置と、ドロップの位置とに基づいて、第１画面４１から第２画面４２へ、又は第２画面４２から第１画面４１へのアイコン７０の複製であるか否かを判定する。
【００９５】
コントローラ１０は、第１画面４１と第２画面４２との間のアイコン７０の複製であると判定した場合（ステップＳ２１０でＹｅｓ）、処理をステップＳ２１１に進める。コントローラ１０は、ドロップされたアイコン７０の移動先の画面の態様に基づいて、当該アイコン７０の態様を特定する（ステップＳ２１１）。例えば、第１画面４１から第２画面４２へのアイコン７０の複製の場合、コントローラ１０は、第２画面４２のアイコン７０の態様を、複製するアイコン７０の態様として特定する。例えば、第２画面４２から第１画面４１へのアイコン７０の複製の場合、コントローラ１０は、第１画面４１のアイコン７０の態様を、複製するアイコン７０の態様として特定する。コントローラ１０は、複製するアイコン７０の態様を特定すると、処理をステップＳ２１２に進める。
【００９６】
コントローラ１０は、ドロップされたアイコン７０を移動元の画面から削除せずに、複製したアイコン７０を特定した態様で移動先の画面に追加する（ステップＳ２１２）。コントローラ１０は、ドロップされたアイコン７０を移動先の画面に追加すると、処理をステップＳ２１３に進める。
【００９７】
コントローラ１０は、第１ディスプレイ２Ａに表示している第３画面４３を更新する（ステップＳ２１３）。コントローラ１０は、移動させたアイコン７０を含む画面を第１ディスプレイ２Ａに表示させると、図１２に示す処理手順を終了させる。
【００９８】
コントローラ１０は、第１画面４１と第２画面４２との間のアイコン７０の複製ではないと判定した場合（ステップＳ２１０でＮｏ）、処理をステップＳ２１４に進める。コントローラ１０は、態様を変更せずに、ドロップされたアイコン７０を複製し、複製したアイコン７０を移動先の画面に追加する（ステップＳ２１４）。コントローラ１０は、ドロップされたアイコン７０を移動先の画面に追加すると、処理を既に説明したステップＳ２１３に進める。コントローラ１０は、第１ディスプレイ２Ａに表示している第３画面４３を更新すると、図１２に示す処理手順を終了させる。
【００９９】
図１３は、実施形態に係るスマートフォン１による第３画面４３及び第４画面４４の表示制御の一例を示す図である。図１３に示す例では、図９と異なる部分のみを説明し、同一部分の説明は省略する。
【０１００】
図１３に示すように、スマートフォン１は、第３画面４３の表示要求に応じて、第３画面４３を第１ディスプレイ２Ａに表示する。第３画面４３の表示要求は、例えば、第１画面４１を第１ディスプレイ２Ａで表示している状態で、所定の操作を検出した場合に発生する要求を含む。第３画面４３は、第１画面４１と第２画面４２とを含む。図１３のステップＳ２１では、第３画面４３は、２つの第１画面４１ｂ及び４１ｃと、２つの第２画面４２ａ及び４２ｂと、を含む。スマートフォン１は、第３画面４３の第１画面４１ｂを第１ディスプレイ２Ａに表示している。スマートフォン１は、タッチスクリーン２Ｃを介して、ドラッグ、スワイプ等のジェスチャを検出すると、第３画面４３をスクロールさせて第１ディスプレイ２Ａに表示できる。この場合、スマートフォン１は、第２ディスプレイ２Ｂの第２表示領域３００の全体を透過状態ＳＴ１とし、第２ディスプレイ２Ｂを透明な状態にしている。
【０１０１】
スマートフォン１は、第４画面４４の表示要求に応じて、第４画面４４を第２ディスプレイ２Ｂに表示する。第４画面４４の表示要求は、例えば、第２画面４２を第２ディスプレイ２Ｂで表示している状態で、所定の操作を検出した場合に発生する要求を含む。第４画面４４は、第２画面４２を含む。第４画面４４は、第１画面４１を含まない。第４画面４４の第２画面４２は、第３画面４３の第２画面４２と同一の構成である。第４画面４４の第２画面４２は、第３画面４３の第２画面４２を透明な部分と反射させる部分とで表現したものである。第４画面４４は、第２ディスプレイ２Ｂ用のランチャ画面を含む。第４画面４４は、複数の第２画面４２の一方から他方へアイコン、ウィジェット等の移動可能な画面を含む。
【０１０２】
ステップＳ２２に示す例では、第４画面４４は、２つの第１画面４２ａ及び４２ｂを含む。スマートフォン１は、第４画面４４の第２画面４２ａを第２ディスプレイ２Ｂに表示している。スマートフォン１は、第２画面４２ａの透明な部分を透過状態ＳＴ１、第２画面４２ａの反射させる部分を反射状態ＳＴ２として第２ディスプレイ２Ｂに表示している。この場合、スマートフォン１は、第２ディスプレイ２Ｂの反射状態ＳＴ２の部分により、第２ディスプレイ２Ｂの背後の第１ディスプレイ２Ａを隠すことができる。
【０１０３】
スマートフォン１は、第４画面４４の第２画面４２上に、インジケータ（ロケータ）４５を表示できる。インジケータ４５は、１つ又は複数のシンボル４６を含む。インジケータ４５は、現在表示されている第２画面４２の位置を示す。現在表示されている画面に対応するシンボル４６は、他の画面に対応するシンボル４６と異なる態様で表示される。
【０１０４】
ステップＳ２２に示す例では、スマートフォン１は、２つの第２画面４２ａ、４２ｂを有する第４画面４４を第２ディスプレイ２Ｂに表示できる。この場合、スマートフォン１は、インジケータ４５のシンボル４６を２つ表示する。これは、第４画面４４は、２つの第２画面４２ａ、４２ｂを有することを示す。２つのシンボル４６は、画面左側から右側に向けて列状に配置されている。以下では、第２画面４２ａ、４２ｂを、どの画面であるかを特定することなく、第２画面４２と総称することがある。
【０１０５】
スマートフォン１は、タッチスクリーン２Ｃを介して、ドラッグ、スワイプ等のジェスチャを検出すると、第４画面４４をスクロールさせて第２ディスプレイ２Ｂに表示できる。例えば、第４画面４４が１つの第２画面４２のみを有する場合、スマートフォン１は、当該第２画面４２のみを第４画面４４として第２ディスプレイ２Ｂに表示してもよい。
【０１０６】
スマートフォン１は、第４画面４４を第２ディスプレイ２Ｂに表示することで、第１ディスプレイ２Ａを駆動させるよりも、消費電力を抑制することができる。スマートフォン１は、例えば、自機の周囲が明るい場合に、外光を反射、錯乱する第２ディスプレイ２Ｂに第４画面４４を表示できるため、視認性及び利便性を向上させることができる。
【０１０７】
図１４は、実施形態に係るスマートフォン１による表示制御の他の一例の処理手順を示すフローチャートである。図１４に示す処理手順は、コントローラ１０が制御プログラム９Ａを実行することによって実現される。図１４に示す処理手順は、コントローラ１０によって繰り返し実行される。
【０１０８】
図１４に示すように、スマートフォン１のコントローラ１０は、タッチスクリーン２Ｃ、ボタン３を介して、第３画面４３の表示要求を受け付けたか否かを判定する（ステップＳ３０１）。コントローラ１０は、第３画面４３の表示要求を受け付けたと判定した場合（ステップＳ３０１でＹｅｓ）、処理をステップＳ３０２に進める。
【０１０９】
コントローラ１０は、第３画面４３を第１ディスプレイ２Ａに表示させる（ステップＳ３０２）。コントローラ１０は、第１ディスプレイ２Ａに第３画面４３が表示させると、図１４に示す処理手順を終了させる。
【０１１０】
コントローラ１０は、第３画面４３の表示要求を受け付けていないと判定した場合（ステップＳ３０１でＮｏ）、処理をステップＳ３０３に進める。コントローラ１０は、タッチスクリーン２Ｃ、ボタン３を介して、第４画面４４の表示要求を受け付けたか否かを判定する（ステップＳ３０３）。コントローラ１０は、第４画面４４の表示要求を受け付けていないと判定した場合（ステップＳ３０３でＮｏ）、図１４に示す処理手順を終了させる。
【０１１１】
コントローラ１０は、第４画面４４の表示要求を受け付けたと判定した場合（ステップＳ３０３でＹｅｓ）、処理をステップＳ３０４に進める。コントローラ１０は、第４画面４４を第２ディスプレイ２Ｂに表示させる（ステップＳ３０４）。例えば、コントローラ１０は、第４画面４４の透明な部分が透過状態ＳＴ１、第４画面４４で反射させる部分が反射状態ＳＴ２となるように、第４画面４４を第２ディスプレイ２Ｂに表示させる。コントローラ１０は、第４画面４４を第２ディスプレイ２Ｂに表示させると、図１４に示す処理手順を終了させる。
【０１１２】
本出願の開示する実施形態は、発明の要旨及び範囲を逸脱しない範囲で変更することができる。さらに、本出願の開示する実施形態は、適宜組み合わせることができる。例えば、上記の実施形態は、以下のように変形してもよい。
【０１１３】
例えば、図５に示した各プログラムは、複数のモジュールに分割されていてもよいし、他のプログラムと結合されていてもよい。
【０１１４】
上記の実施形態では、スマートフォン１は、第１画面４１を第１ディスプレイ２Ａに表示させる場合に、第２ディスプレイ２Ｂの全体を透過状態ＳＴ１とする場合について説明したが、これに限定されない。例えば、スマートフォン１は、第２ディスプレイ２Ｂの一部の領域のみを透過状態ＳＴ１とし、第１ディスプレイ２Ａに表示する第１画面４１を部分的に視認可能にさせてもよい。スマートフォン１は、第２ディスプレイ２Ｂにおける反射状態ＳＴ２の部分で、第１ディスプレイ２Ａに表示する第１画面４１の一部を隠してもよい。
【０１１５】
上記の実施形態では、スマートフォン１は、略長方形状の第２ディスプレイ２Ｂを用いる場合について説明したが、これに限定されない。例えば、スマートフォン１は、多角形、楕円、星形等の形状を有する第２ディスプレイ２Ｂを用いてもよい。この場合、スマートフォン１は、ユニークな形状の第２ディスプレイ２Ｂによって第１ディスプレイ２Ａを隠すことができる。
【０１１６】
上記の実施形態では、スマートフォン１は、タッチスクリーン２Ｃのサイズを第１ディスプレイ２Ａと略同一のサイズとする場合について説明したが、これに限定されない。例えば、スマートフォン１は、タッチスクリーン２Ｃのサイズを第２ディスプレイ２Ｂと略同一のサイズとしてもよい。
【０１１７】
上記の実施形態では、スマートフォン１は、第１ディスプレイ２Ａの表示面側に１つの第２ディスプレイ２Ｂを積層する場合について説明したが、これに限定されない。例えば、スマートフォン１は、第１ディスプレイ２Ａの表示面側に、複数の第２ディスプレイを積層させてもよい。
【０１１８】
上記の実施形態では、例として、第１画面４１及び第２画面４２がアイコン、ウィジェット等が配置される画面である場合について説明したが、これに限定されない。第１画面４１及び第２画面４２は、携帯電子機器が表示し得るあらゆる画面であってもよい。
【０１１９】
また、例として、図６に示すように第１画面４１と第２画面４２とが互いに異なる態様（サイズ、デザイン等）である場合について説明したが、これに限定されない。第１画面４１と第２画面４２とは同一の画像であってもよい。例えば、第１画面４１と第２画面４２とは、カラーで表示されるかモノクロームで表示されるかで異なることを除き、同一の画像であってもよい。
【０１２０】
上記の実施形態では、スマートフォン１は、検出された自機の周囲の明るさが所定値未満の場合に、第１ディスプレイ２Ａに第１画面４１を表示させ、検出された自機の周囲の明るさが所定値以上の場合に、第２ディスプレイ２Ｂに第２画面４２を表示させる場合について説明したが、これに限定されない。スマートフォン１は、取得した自機の位置が屋内である場合に、第１ディスプレイ２Ａに第１画面４１を表示させ、取得した自機の位置が屋外である場合に、第２ディスプレイ２Ｂに第２画面４２を表示させてもよい。また、スマートフォン１は、自機の電池残量が閾値以上の場合に、第１ディスプレイ２Ａに第１画面４１を表示させ、自機の電池残量が閾値未満の場合に、第２ディスプレイ２Ｂに第２画面４２を表示させてもよい。また、スマートフォン１は、第１ディスプレイ２Ａの設定の明るさと自機の外部の明るさとの差が閾値未満の場合に、第１ディスプレイ２Ａに第１画面４１を表示させ、第１ディスプレイ２Ａの設定の明るさと自機の外部の明るさとの差が閾値以上の場合に、第２ディスプレイ２Ｂに第２画面４２を表示させてもよい。
【０１２１】
上記の実施形態では、携帯電子機器の例として、スマートフォン１について説明したが、添付の請求項に係る携帯電子機器は、スマートフォン１に限定されない。添付の請求項に係る携帯電子機器は、スマートフォン１以外の電子機器であってもよい。電子機器は、例えば、モバイルフォン、スマートウォッチ、携帯型パソコン、ヘッドマウントディスプレイ、デジタルカメラ、メディアプレイヤ、電子書籍リーダ、ナビゲータ、及びゲーム機を含むが、これに限定されない。
【０１２２】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。
【符号の説明】
【０１２３】
１  スマートフォン
２Ａ  第１ディスプレイ
２Ｂ  第２ディスプレイ
２Ｃ  タッチスクリーン
３  ボタン
４  照度センサ
５  近接センサ
６  通信ユニット
７  レシーバ
８  マイク
９  ストレージ
９Ａ  制御プログラム
９Ｚ  設定データ
１０  コントローラ
１１  スピーカ
１２、１３  カメラ
１４  コネクタ
１５  モーションセンサ
２０  ハウジング
【図１】
2018170605.tif 000003
【図２】
2018170605.tif 000004
【図３】
2018170605.tif 000005
【図４】
2018170605.tif 000006
【図５】
2018170605.tif 000007
【図６】
2018170605.tif 000008
【図７】
2018170605.tif 000009
【図８】
2018170605.tif 000010
【図９】
2018170605.tif 000011
【図１０】
2018170605.tif 000012
【図１１】
2018170605.tif 000013
【図１２】
2018170605.tif 000014
【図１３】
2018170605.tif 000015
【図１４】
2018170605.tif 000016